(57)【特許請求の範囲】
【請求項１】
バッテリーパックを装着するためのバッテリー装着部が形成されるとともに、前記バッテリー装着部に装着されたバッテリーパックに係合して所定の装着状態に保持するためのロック爪を備えたロック機構を筐体の底部に備えてなる電子機器の筐体構造において、
前記ロック機構は、前記筐体の底部において前記バッテリー装着部側に向かって開口するスライド溝開口部が形成されたスライド溝と、前記スライド溝の内部を摺動可能なロック部材とから構成され、
前記ロック部材は、前記スライド溝開口部の一部のロック爪通過領域を通って前記バッテリー装着部へ出没可能な前記ロック爪を備え、
前記バッテリー装着部に対面する前記筐体の背面に配設されたシャーシの一部は、前記スライド溝開口部の内の前記ロック爪通過領域を除く部分の少なくとも一部を塞ぐように延設されて、シャーシ延設部が形成され、
外部からの衝撃によって前記ロック部材が前記スライド溝から前記バッテリー装着部側へ飛び出して脱落することを、前記シャーシ延設部によって防止するように構成され、
前記ロック部材には突出部を設けるとともに、前記シャーシ延設部には前記突出部が挿入される挿入孔を設け、前記突出部が前記挿入孔に挿入された状態では、前記シャーシ延設部によって、前記突出部の周囲を覆うように構成されていることを特徴とする電子機器の筐体構造。
【請求項２】
前記シャーシ延設部は、前記筐体の底部の近傍まで延長されていることを特徴とする請求項１に記載の電子機器の筐体構造。
【発明の詳細な説明】
【技術分野】
【０００１】
本発明は、携帯可能なトランシーバ等の電子機器に装着するバッテリーパックの装着状態を保持する構造（ロック機構）を構成するロック部材が、落下等の衝撃により脱落することを防止する構造に関するものである。
【背景技術】
【０００２】
携帯可能なトランシーバ等の電子機器は、交換可能なバッテリーパックを備えているものがあり、かかるバッテリーパックを装着した状態では、前記バッテリーパックが前記電子機器の本体から脱落しないように、バッテリーパックの装着状態を保持する構造、いわゆるロック機構を備えた筐体構造が、特許文献１等に記載されている。
従来例として、特許文献１に記載された筐体構造を、図８を参照して説明する。
図示された筐体構造は、電子機器としての携帯型トランシーバ100に備えられロック機構を備えたものであり、前記携帯型トランシーバ100の本体110の背面に形成されたバッテリー装着部120に、底面方向からバッテリーパック200を矢印Ｆ100の方向にスライドさせて装着して、ロック機構300を操作して、ロック部材310に設けられたロック爪320を、前記バッテリーパック200に設けられた係合穴210に差し込んで、前記バッテリーパック200が前記矢印Ｆ100の逆方向に戻らないように保持するように構成されている。
【０００３】
前記バッテリー装着部120には、丈夫な金属製のシャーシ130が配設され、前記金属製のシャーシ130は、樹脂製の筐体140に覆われている。
なお、前記バッテリー装着部120には、装着された前記バッテリーパック200が矢印Ｆ110の方向に外れることを防止するための保持爪150が突設されている。前記保持爪150は、バッテリーパック200の装着面に設けられた保持穴220に差し込まれて、装着された前記バッテリーパック200が前記矢印Ｆ110の方向に外れることを防止するように構成されている。
【０００４】
なお、前記ロック部材310は、電子機器の筐体140の底部に形成されたスライド溝に摺動可能に保持され、前記ロック爪320が形成された金属板と、この金属板に固定された樹脂製のロックツマミ340とで構成されている。
前記ロック部材310を摺動可能に保持する前記スライド溝の周辺は、前記筐体140と同様に樹脂製である。
【先行技術文献】
【特許文献】
【０００５】
【特許文献１】特開平９−６９３５９号公報
【発明の概要】
【発明が解決しようとする課題】
【０００６】
図８に示した従来例のロック機構では、ロック部材310は、前記樹脂製の筐体140の底部に配設されているが、前記スライド溝およびその周辺の筐体の材質は樹脂であるため、当該電子機器が例えば固い床面に落下した場合、前記底部が床面での落下の衝撃を受けて、前記ロック部材がスライド溝から飛び出して脱落する危険性がある。
【０００７】
本発明では、前述したようなロック部材の脱落を防止する構造を提案するものである。
【課題を解決するための手段】
【０００８】
請求項１に係る発明は、バッテリーパックを装着するためのバッテリー装着部が形成されるとともに、前記バッテリー装着部に装着されたバッテリーパックに係合して所定の装着状態に保持するためのロック爪を備えたロック機構を筐体の底部に備えてなる電子機器の筐体構造において、前記ロック機構は、前記筐体の底部において前記バッテリー装着部側に向かって開口するスライド溝開口部が形成されたスライド溝と、前記スライド溝の内部を摺動可能なロック部材とから構成され、前記ロック部材は、前記スライド溝開口部の一部のロック爪通過領域を通って前記バッテリー装着部へ出没可能な前記ロック爪を備え、前記バッテリー装着部に対面する前記筐体の背面に配設されたシャーシの一部は、前記スライド溝開口部の内の前記ロック爪通過領域を除く部分の少なくとも一部を塞ぐように延設されて、シャーシ延設部が形成され、外部からの衝撃によって前記ロック部材が前記スライド溝から前記バッテリー装着部側へ飛び出して脱落することを、前記シャーシ延設部によって防止するように構成され、前記ロック部材には突出部を設けるとともに、前記シャーシ延設部には前記突出部が挿入される挿入孔を設け、前記突出部が前記挿入孔に挿入された状態では、前記シャーシ延設部によって、前記突出部の周囲を覆うように構成されていることを特徴としている。
【０００９】
請求項２では、
前記シャーシ延設部は、前記筐体の底部の近傍まで延長されていることを特徴としている。
【発明の効果】
【００１１】
本発明に係る電子機器の筐体構造によれば、
バッテリーパックを装着するためのバッテリー装着部が形成されるとともに、前記バッテリー装着部に装着されたバッテリーパックに係合して所定の装着状態に保持するためのロック爪を備えたロック機構を筐体の底部に備えてなる電子機器の筐体構造において、
前記ロック機構は、前記筐体の底部において前記バッテリー装着部側に向かって開口するスライド溝開口部が形成されたスライド溝と、前記スライド溝の内部を摺動可能なロック部材とから構成され、
前記ロック部材は、前記スライド溝開口部の一部のロック爪通過領域を通って前記バッテリー装着部へ出没可能な前記ロック爪を備え、
前記バッテリー装着部に対面する前記筐体の背面に配設されたシャーシの一部は、前記スライド溝開口部の内の前記ロック爪通過領域を除く部分の少なくとも一部を塞ぐように延設されて、シャーシ延設部が形成され、
外部からの衝撃によって前記ロック部材が前記スライド溝から前記バッテリー装着部側へ飛び出して脱落することを、前記シャーシ延設部によって防止するように構成されているので、
当該電子機器が例えば固い床面に落下した場合等において、前記電子機器が落下等の衝撃を受けた場合であっても、
前記段部の前記バッテリー装着部側への移動は、十分な強度を持つ前記シャーシ延設部によって阻止されるため、前記ロック爪を除く前記ロック部材が前記バッテリー装着部側へ飛び出ることは防止され、
前記ロック部材が前記スライド溝から脱落することを防止することができる。
【図面の簡単な説明】
【００１２】
【図１】本発明に係る電子機器の筐体構造の要部の斜視図である。
【図２】図１に示した電子機器の筐体構造に用いられるロック部材の斜視図である。
【図３】図１のＸ−Ｘ線断面を示したものであり、ロック解除状態（Ａ）と、ロック状態（Ｂ）を説明する側面断面図である。
【図４】図１の状態からシャーシとロック部材を取り除いた状態を説明する斜視図である。
【図５】本発明に係る電子機器の筐体構造の他の実施形態の要部の斜視図である。
【図６】図５に示した電子機器の筐体構造に用いられるロック部材の斜視図である。
【図７】図５のＹ−Ｙ線断面を示したものであり、ロック解除状態（Ａ）と、ロック状態（Ｂ）を説明する側面断面図である。
【図８】従来例のロック機構の説明図である。
【発明を実施するための形態】
【００１３】
以下に、本発明に係る電子機器の筐体構造を実施するための形態を、図面を参照して説明する。
本発明に係る電子機器の筐体構造の要部の斜視図を示した図１において、
１は電子機器としての携帯型トランシーバの本体であり、前記本体１の背面側（図上では上側）の空間には、従来と同様に、バッテリーパックを装着するための空間としてバッテリー装着部１２が形成されている。
前記バッテリー装着部１２に対面する前記本体１の背面には、十分な強度の金属板製のシャーシ２が配設されている。前記シャーシ２の周囲は、前記バッテリー装着部１２に対面する側の一面を除いて樹脂製の筐体３で覆われている。なお、前記バッテリー装着部１２は、装着されたバッテリーパックが占める空間であり、前記シャーシ２を含むものではない。
【００１４】
前記本体１の底部１１には、ロック機構４が設けられている。以下において、図１、２、３、４を参照して前記ロック機構４を説明する。
前記ロック機構４は、前記筐体３の内部に形成されたスライド溝４１と、当該スライド溝４１に沿って摺動可能に保持されているロック部材４２とから構成され、前記ロック部材４２は、ロック爪４３１が形成された金属板４３と、この金属板４３に固定された樹脂製のロックツマミ４４とで構成されている。
前記金属板４３には、前記ロック爪４３１が２つ突設されており、前記２つのロック爪４３１の間の金属板部分に、前記樹脂製のロックツマミ４４が固定されている。前記ロックツマミ４４は樹脂で成型されており、一部には樹脂が比較的に薄い部分４４１が成型されている。
【００１５】
前記スライド溝４１は、前記シャーシ２に対して直交する方向に設けられており、前記ロック部材４２を、前記シャーシ２と直交する矢印Ｆ１の方向に摺動させることができる。なお、前記ロック部材４２をバッテリー装着部１２側に摺動させる方向を「ロック方向」とし、逆方向を「ロック解除方向」とする。図３（Ａ）には、前記ロック部材４２をロック解除方向に摺動させたロック解除状態の断面図を示し、図３（Ｂ）には、前記ロック部材４２をロック方向に摺動させたロック状態の断面図を示している。
【００１６】
前記スライド溝４１は、前記ロック部材４２の前記２つのロック爪４３１と、前記ロックツマミ４４の一部の前記薄い部分４４１とが摺動可能な断面形状を備え、図４に示したように、前記バッテリー装着部１２側へ開口したスライド溝開口部４１０が形成され、前記スライド溝開口部４１０は、中央開口領域４１３と、前記中央開口領域４１３の両側のロック爪通過領域４１４とから構成されている。
【００１７】
前記シャーシ２を組み付けた状態では、図１に示したように、
前記スライド溝開口部４１０の内の２つのロック爪通過領域４１４は、ロック爪出没開口部４１１として前記バッテリー装着部１２へ開口し、前記スライド溝開口部４１０の内の前記中央開口領域４１３の一部は、前記シャーシ２の一部が延設されたシャーシ延設部２１によって塞がれている。
このような構造によって、前記２つのロック爪４３１は、前記スライド溝４１の内部を摺動して前記２つのロック爪出没開口部４１１から前記バッテリー装着部１２へ出没可能に構成されている。
前記スライド溝４１の一部は、前記筐体の底部１１にも開口し、前記ロックツマミ４４の頭部が前記筐体の底部１１へ露出して操作できるように、ツマミ操作孔４１２が形成されている。
【００１８】
また、前記スライド溝４１には、前記ロック部材４２を、前記ロック方向に付勢するバネ等の付勢手段４１５が設けられている。また、前記スライド溝４１の内部には、前記ロック部材４２の摺動可能な範囲を、図３（Ａ）の状態と図３（Ｂ）の状態の間の範囲に規制する規制手段が構成されている。
前記規制手段は、前記ロック部材４２の裏面に形成された係合突起４６と、前記スライド溝４１の内面に前記筐体３から突設された規制突起３１とから構成されており、前記係合突起４６と前記規制突起３１によって、前記ロック部材４２が図３（Ｂ）の状態の範囲を越えて、前記バッテリー装着部１２側へ移動しないように規制している。
【００１９】
前記ロック部材４２をロック方向に摺動させると、前記ロック爪４３１の先が、前記シャーシ２から突出せずに前記筐体３の内部に埋没していた状態（図３（Ａ）の状態）からバッテリー装着部１２へ突出する状態（図３（Ｂ）の状態）となり、前記ロック部材４２をロック解除方向に摺動させると、前記ロック爪４３１の先が、前記シャーシ２から突出した状態（図３（Ｂ）の状態）から、前記シャーシ２から突出せずに前記筐体３の内部に埋没する状態（図３（Ａ）の状態）となる。
【００２０】
図３（Ａ）の状態から、前記バッテリー装着部１２にバッテリーパックＢを装着する場合には、バッテリーパックＢを前記シャーシ２に沿わせて、前記本体１の底部１１側から矢印Ｆ２の方向（「装着方向」とする。）へ摺動させる。このとき、前記ロック爪４３１はバッテリーパックＢに押されて埋没する。（図３（Ａ）参照。）
そして、バッテリーパックＢが所定の装着位置であるバッテリー装着部１２に到達すると、前記ロック爪４３１の位置は、バッテリーパックＢに形成された係合穴Ｂ１の位置に一致するので、前記ロック部材４２は前記付勢手段４１５に押されて前記スライド溝４１に沿ってロック方向に摺動し、前記ロック爪４３１は前記係合穴Ｂ１に差し込まれる。（図３（Ｂ）参照。）
【００２１】
バッテリーパックＢを取り外す場合には、前記ロックツマミ４４を操作して、前記ロック解除方向に摺動させて、前記ロック爪４３１を前記係合穴Ｂ１から引き抜いてから、バッテリーパックＢを前記バッテリー装着部１２から前記本体１の底部側への矢印Ｆ３の方向（「取り外し方向」とする。）へ摺動させる。
【００２２】
前記バッテリー装着部１２にバッテリーパックＢが装着された状態では、前記ロック部材４２は、前記付勢手段４１５によってロック方向に付勢されているので、前記ロック爪４３１の先がバッテリーパックＢに形成された係合穴Ｂ１に差し込まれた係合状態が保持され、前記バッテリーパックＢが、取り外し方向（矢印Ｆ３の方向）へずれてしまうことは禁止され、バッテリーパックＢがバッテリー装着部１２に保持されて外れない状態（ロック状態）となる。
そして、バッテリー装着部１２に保持されたバッテリーパックＢを取り外すときには、前記ロック部材４２をロック解除方向に摺動させて、前記ロック爪４３１の先を前記バッテリーパックＢの係合穴Ｂ１から引き抜くことによって、バッテリーパックＢを取り外し方向（矢印Ｆ３の方向）へ摺動させることが可能となるので、バッテリーパックＢをバッテリー装着部１２から取り外すことができるようになる。
【００２３】
次に、シャーシ延設部を、図１、３、４を参照して説明する。
前記シャーシ２の一部は、前記スライド溝開口部４１０の内の前記ロック爪４３１が通過する前記ロック爪通過領域４１４を除いた前記中央開口領域４１３の少なくとも一部を塞ぐように、底部１１側へ延設されて、シャーシ延設部２１が形成されている。
前記シャーシ延設部２１は、前記ロック部材４２の一部に形成された段部４７を塞ぐ位置まで延設されて、前記スライド溝４１の一部の前記中央開口領域４１３の一部を塞ぐように配設されて、前記ロック部材４２の前記段部４７と前記バッテリー装着部１２との間に介在し、前記シャーシ延設部２１で前記段部４７を前記バッテリー装着部１２側から覆うように形成されている。
【００２４】
前記シャーシ延設部２１は、前記ロック爪４３１が出没するために通過する前記通過領域４１４を除いた部分を塞いでいるので、前記ロック爪４３１は、ロックツマミ４４の操作に応じて、バッテリー装着部１２へ出没することができる。
このように、前記シャーシ延設部２１は、前記通過領域４１４を除いて、前記ロック部材４２の一部に形成された段部４７を塞ぐ位置まで延設されているので、
落下の衝撃等により前記ロック部材４２が前記バッテリー収納部１２側へ飛び出そうとしても、前記ロック部材４２の一部の前記段部４７が前記シャーシ延設部２１によって阻止されるので、前記ロック部材４２が前記スライド溝４１から飛び出して脱落することを防止することができる。（図３（Ｂ）参照。）なお、前記シャーシ延設部２１は、前記ロックツマミ４４の段部４７ではなく、前記ロック爪４３１を除いた部分を覆ってもよい。
【００２５】
以上の構成によって、電子機器としての携帯型トランシーバの本体１が落下して床面等に当たって衝撃を受けた場合でも、前記ロック機構４を構成する前記ロック部材４２が、その衝撃によって、図３（Ｂ）の状態から、さらに前記バッテリー装着部１２側へ飛び出さないように阻止され、前記ロック部材４２が前記スライド溝４１から飛び出して脱落することを防止することができる。
【００２６】
したがって、前記係合突起４６と前記規制突起３１による前記規制手段とともに、前記シャーシ延設部２１の裏面と前記ロック部材４２の段部４７とによって、前記ロック部材が、図３（Ｂ）の状態から、さらに前記バッテリー装着部１２側へ飛び出して脱落することは防止されるのである。
【００２７】
上記構成において、特許請求の範囲に記載された電子機器の筐体構造は、前記シャーシ延設部２１と前記ロック機構４を備えた筐体構造に対応している。
【００２８】
以上の説明においては、シャーシ延設部２１が、ロック部材４２の一部を覆う構成を説明したが、以下に説明するように、ロック部材の一部を囲んで覆う構成を採用することも可能である。
図５、７に示したように、
シャーシ２Ａの一部を、前記筐体の底部１１Ａの近傍まで延長して、スライド溝４１Ａのスライド溝開口部の一部を塞ぐように形成したシャーシ延設部２１Ａには、ロック部材４２Ａの一部に形成された突出部４５Ａを挿入するための挿入孔２２Ａが設けられている。
【００２９】
前記ロック部材４２Ａには、図６に示したように、２つのロック爪４３１Ａと、前記挿入孔２２Ａに挿入し得る大きさの前記突出部４５Ａが設けられている。前記突出部４５Ａの基部の一部には、前記挿入孔２２Ａを通過できないように、前記突出部４５Ａの断面形状より広い断面形状を持った段部４７Ａが形成されている。
また、前記シャーシ延設部２１Ａはスライド溝４１Ａの一部を塞ぐように延設されているが、前記２つのロック爪４３１Ａが前記バッテリー装着部１２Ａへ出没できるように、前記シャーシ延設部２１Ａの両側にロック爪出没開口部４１１Ａは塞がずに開口している。
【００３０】
図７（Ａ）には、前記ロック部材４２Ａをロック解除方向に摺動させたロック解除状態の断面図を示し、図７（Ｂ）には、前記ロック部材４２Ａをロック方向に摺動させたロック状態の断面図を示している。
【００３１】
前記ロック部材４２Ａをロック方向に摺動させると、前記ロック爪４３１Ａの先が、前記シャーシ２Ａから突出せずに前記筐体３の内部に埋没していた状態（図７（Ａ）の状態）から、前記ロック爪出没開口部４１１Ａを通ってバッテリー装着部１２Ａ側へ突出する状態（図７（Ｂ）の状態）となり、前記ロック部材４２Ａをロック解除方向に摺動させると、前記ロック爪４３１Ａの先が、前記シャーシ２Ａから突出した状態（図７（Ｂ）の状態）から、前記シャーシ２Ａから突出せずに前記筐体３の内部に埋没する状態（図７（Ａ）の状態）となる。
【００３２】
以上の構造によって、図７（Ｂ）に示したように、前記突出部４５Ａが前記挿入孔２２Ａに挿入された状態では、前記挿入孔２２Ａの近傍部分の前記シャーシ延設部２１Ａによって、前記スライド溝４１Ａの一部が塞がれるとともに、前記突出部４５Ａの周囲が覆われて、前記バッテリー装着部１２Ａ側への移動が阻止されているので、
前記ロック部材４２Ａの前記突出部４５Ａの基部の一部に形成された段部４７Ａは、前記挿入孔２２Ａの周囲の前記シャーシ延設部２１Ａによって覆われて、前記ロック部材４２Ａが、図７（Ｂ）に示した状態以上、前記バッテリー装着部１２Ａ側へ飛び出さないように構成されている。
【００３３】
このように、前記ロック部材４２Ａが、図７（Ｂ）に示した状態以上、前記バッテリー装着部１２Ａ側へ飛び出すことが阻止されるので、外部からの衝撃を受けた場合でも、前記ロック部材４２Ａが飛び出して脱落することは防止される。
図５、７に示したように、前記シャーシ延設部２１を、前記筐体の底部１１Ａの近傍まで延長することにより、外部からの衝撃を受けた場合でも、その衝撃を十分な強度を備えたシャーシ２で受け止めることができるので、前記ロック部材４２Ａの脱落を防止することに加えて、筐体の変形や損傷を防ぐ効果も得られる。
なお、他の部分の説明は、図１、３、４に関する説明と同様であるので省略した。
【産業上の利用可能性】
【００３４】
本発明に係る電子機器の筐体構造は、トランシーバ等の電子機器に限らず、バッテリーパックを着脱自在に備える各種機器に広く応用することができる。
【符号の説明】
【００３５】
１  電子機器の本体
１２  バッテリー装着部
２  シャーシ
２１  シャーシ延設部
３  筐体
４  ロック機構
４１  スライド溝
４１０  スライド溝開口部
４１１  ロック爪出没開口部
４１３  中央開口領域
４１４  ロック爪通過領域
４２  ロック部材
４３  金属板
４３１  ロック爪
４７  段部
Ｂ  バッテリーパック
Ｂ１  挿入穴
１２Ａ  バッテリー装着部
２Ａ  シャーシ
２１Ａ  シャーシ延設部
２２Ａ  挿入穴
４１１Ａ  ロック爪出没開口部
４２Ａ  ロック部材
４３１Ａ  ロック爪
４５Ａ    突出部
４７Ａ  段部
【図１】
0005673517.tif 000002
【図２】
0005673517.tif 000003
【図３】
0005673517.tif 000004
【図４】
0005673517.tif 000005
【図５】
0005673517.tif 000006
【図６】
0005673517.tif 000007
【図７】
0005673517.tif 000008
【図８】
0005673517.tif 000009